(57)【特許請求の範囲】
【請求項１】
各種の通信装置が接続可能な回線と、
画像データを前記回線を介して受信側のファクシミリ装置に発信する手段、発信側のファクシミリ装置から前記回線を介して画像データを受信し、この受信した画像データを出力する手段を有し、相互に送受信可能な複数のファクシミリ装置とを含むファクシミリシステムにおいて、
前記受信側のファクシミリ装置に
画像データの発信時に使用するファクシミリ番号とこのファクシミリ番号によって特定されるファクシミリ装置の名称情報とを登録するワンタッチ記憶部と、
このワンタッチ記憶部に登録されたファクシミリ番号と名称情報とを読みだす指示をするための操作キーと、
回線からの呼出信号を検出することに併せて発信側の通信装置を特定する発信元番号を検出し、この検出した発信元番号を発信元番号記憶部に記憶させる発信元番号記憶手段と、
前記発信元番号を検出した場合に、発信側のファクシミリ装置のファクシミリ番号と名称情報とを前記ワンタッチ記憶部に自動的に登録する機能を有していることを示す登録可能信号を発信側の通信装置に発信する登録可能信号発信手段と、
発信側の通信装置からの自動的に登録することを要求する登録要求信号と名称情報とを受信する情報受信手段と、
前記登録要求信号を受信したことに応じて、前記発信元番号記憶部に記憶した発信元番号と受信した前記名称情報とを画像データの発信時に使用するファクシミリ番号とこのファクシミリ番号によって特定されるファクシミリ装置の名称情報として、前記ワンタッチ記憶部に登録させる制御手段とを設け、
前記発信側のファクシミリ装置に
自己のファクシミリ装置を特定する名称情報を記憶する名称記憶部と、
受信側のファクシミリ装置からの前記登録可能信号を受信する登録可能信号受信手段と、
前記登録可能信号を受信した場合に、前記名称記憶部から前記名称情報を読みだし、前記登録要求信号と前記名称情報とを受信側のファクシミリ装置に発信する情報発信手段とを設けたことを特徴とするファクシミリシステム。
【請求項２】
画像データを回線を介して受信側のファクシミリ装置に発信する手段と、発信側のファクシミリ装置から前記回線を介して画像データを受信し、この受信した画像データを出力する手段とを有するファクシミリ装置において、
画像データの発信時に使用するファクシミリ番号とこのファクシミリ番号によって特定されるファクシミリ装置の名称情報とを登録するワンタッチ記憶部と、
このワンタッチ記憶部に登録されたファクシミリ番号と名称情報とを読みだす指示をするための操作キーと、
回線からの呼出信号を検出することに併せて発信側の通信装置を特定する発信元番号を検出し、この検出した発信元番号を発信元番号記憶部に記憶させる発信元番号記憶手段と、
前記発信元番号を検出した場合に、発信側のファクシミリ装置のファクシミリ番号と名称情報とを前記ワンタッチ記憶部に自動的に登録する機能を有していることを示す登録可能信号を発信側の通信装置に発信する登録可能信号発信手段と、
発信側の通信装置からの自動的に登録することを要求する登録要求信号と名称情報とを受信する情報受信手段と、
前記登録要求信号を受信したことに応じて、前記発信元番号記憶部に記憶した発信元番号と受信した前記名称情報とを画像データの発信時に使用するファクシミリ番号とこのファクシミリ番号によって特定されるファクシミリ装置の名称情報として、前記ワンタッチ記憶部に登録させる制御手段とを備えたことを特徴とするファクシミリ装置。
【請求項３】
画像データを回線を介して受信側のファクシミリ装置に発信する手段と、発信側のファクシミリ装置から前記回線を介して画像データを受信し、この受信した画像データを出力する手段とを有するファクシミリ装置において、
自己のファクシミリ装置を特定する名称情報を記憶する名称記憶部と、
画像データの発信に際し発信側のファクシミリ装置のファクシミリ番号と名称情報とを受信側のファクシミリ装置のワンタッチ記憶部に自動的に登録することが可能であることを示す登録可能信号を受信側のファクシミリ装置から受信する登録可能信号受信手段と、
前記登録可能信号を受信した場合に、前記名称記憶部から前記名称情報を読みだし、自動的に登録することを要求する登録要求信号と前記名称情報とを受信側のファクシミリ装置に発信する情報発信手段とを備えたことを特徴とするファクシミリ装置
【請求項４】
請求項１または請求項２記載の発明において、受信側のファクシミリ装置またはファクシミリ装置はワンタッチ記憶部に空きがあるか否かをチェックする空き識別手段を有し、空きがあると判断したときのみ前記登録可能信号を発信することを特徴とするファクシミリシステムまたはファクシミリ装置。
【請求項５】
請求項１または請求項２記載の発明において、受信側のファクシミリ装置またはファクシミリ装置は発信側の通信装置がファクシミリ装置であるか否かをチェックする発信側識別手段を有し、発信側の通信装置がファクシミリ装置であるときのみ前記登録可能信号を発信することを特徴とするファクシミリシステムまたはファクシミリ装置。
【請求項６】
請求項１または請求項２記載の発明において、受信側のファクシミリ装置またはファクシミリ装置は画像データの受信が正常に終了したか否かを判別する終了判別手段を有し、画像データの受信が正常に終了した場合のみ発信元番号と受信した名称情報とを画像データの発信時に使用するファクシミリ番号とこのファクシミリ番号によって特定されるファクシミリ装置の名称情報として、前記ワンタッチ記憶部に登録させるようにしたことを特徴とするファクシミリシステムまたはファクシミリ装置。
【請求項７】
請求項１または請求項３記載の発明において、発信側のファクシミリ装置またはファクシミリ装置は名称情報を国際電気通信連合の電気通信標準化部門でのＴシリーズ勧告で規定されたファクシミリ伝送制御信号のうちのＴＳＩ信号に含める手段を有し、ＴＳＩ信号を用いて名称情報を受信側のファクシミリ装置に発信するものであるファクシミリシステムまたはファクシミリ装置。
【発明の詳細な説明】
【０００１】
【発明の属する技術分野】
本発明は、呼出信号とともに発信元番号を受信側の通信端末に通知する回線に接続されて使用されるファクシミリ装置およびこのファクシミリ装置が接続される回線とからなるファクシミリシステムに関する。
【０００２】
【従来の技術】
発信元番号を受信側に通知する回線網に複数のファクシミリ装置をはじめとする各種通信端末が接続されて構築されたファクシミリシステムにおいて、接続されたファクシミリ装置のなかには画像データを受信する際に、回線からの呼出信号を検出するとともに、この呼出信号に含まれている発信元番号を検出する機能を有する装置がある。この発信元番号は発信側のファクシミリ装置のファクシミリ番号や発信側の電話機の電話番号である。そして発信元番号を検出した受信側のファクシミリ装置では、検出した発信元番号を表示部に表示してファクシミリ装置のオペレータが、発信側のファクシミリ装置を確認できるようにしている。
【０００３】
また、ファクシミリ装置のなかには、画像データの発信をする場合のファクシミリ番号の入力を簡単にするために、一度のボタン操作によって受信側のファクシミリ装置のファクシミリ番号を入力することができる複数の操作キーを有している装置がある。この複数の操作キーは総称してワンタッチボタンと呼ばれている。画像データの発信時に、このワンタッチボタンを利用して受信側のファクシミリ装置のファクシミリ番号を入力するためには、ワンタッチボタンを構成する複数の操作キーに対応させて、画像データの発信時に使用するファクシミリ番号を予めワンタッチ記憶部に登録しておく必要があるが、この登録操作は、複雑な操作であることが多いことからオペレータにとっては煩わしい作業である。
そこで、前述した発信元番号を検出する機能と関連させて、検出した発信元番号を画像データの発信時に使用するファクシミリ番号としてワンタッチ記憶部に自動的に登録する機能を有したファクシミリ装置が知られている。
【０００４】
このようなファクシミリ装置は例えば、特開平９−２２４１１７号公報に開示されている。このファクシミリ装置は、ワンタッチボタンを構成する複数の操作キーに対応して、画像データの発信時に利用するファクシミリ番号が登録されるワンタッチ記憶部と、呼出信号とともに発信元番号を検出する手段と、この発信元番号がワンタッチ記憶部中に登録されているかチェックする手段と、まだ登録がされていない場合は、ワンタッチボタンを構成する複数の操作キーのなかの、空いている操作キーに対応するワンタッチ記憶部の所定のエリアに、発信元番号を画像データの発信時に利用するファクシミリ番号として登録する手段とを有するものである。これにより、ワンタッチ記憶部に画像データの発信時に利用するファクシミリ番号を登録する作業の負担を低減することができる。
【０００５】
【発明が解決しようとする課題】
ところで、ワンタッチ記憶部には画像データの発信時に利用するファクシミリ番号と、そのファクシミリ番号によって特定されるファクシミリ装置の名称情報とが登録されることが通常である。そして、この名称情報を、画像データの発信の際に表示部に表示するなどして、どこに画像データを発信しているかをオペレータが容易に確認できるようにしている。
【０００６】
ところが、上記公報記載のファクシミリ装置にあっては、発信元情報をそのまま、ワンタッチ記憶部に登録するのみの構成であることから、画像データの発信時に利用するファクシミリ番号の登録は自動的に行なえるものの、発信元情報として、ファクシミリ番号のみが発信されてくる回線網においては、画像データの発信時に利用するファクシミリ番号によって特定されるファクシミリ装置の名称情報を自動的に登録することはできないものであった。この結果、オペレータは後からワンタッチ記憶部に登録されたファクシミリ番号によって特定されるファクシミリ装置の名称情報の登録をしなければならず、やはり煩わしい操作が必要となっていた。
本発明は上述した事情に鑑み、画像データの発信時に利用するファクシミリ番号のみならず、このファクシミリ番号によって特定されるファクシミリ装置の名称情報も、ワンタッチ記憶部に自動的に登録できるファクシミリシステムおよびそのファクシミリシステムに用いられるファクシミリ装置を提供することを目的とする。
【０００７】
【課題を解決するための手段】
本発明は上記目的を達成するためになされたもので、請求項１記載の発明は、各種の通信装置が接続可能な回線と、画像データを前記回線を介して受信側のファクシミリ装置に発信する手段、発信側のファクシミリ装置から前記回線を介して画像データを受信し、この受信した画像データを出力する手段を有し、相互に送受信可能な複数のファクシミリ装置とを含むファクシミリシステムにおいて、前記受信側のファクシミリ装置に画像データの発信時に使用するファクシミリ番号とこのファクシミリ番号によって特定されるファクシミリ装置の名称情報とを登録するワンタッチ記憶部と、このワンタッチ記憶部に登録されたファクシミリ番号と名称情報とを読みだす指示をするための操作キーと、回線からの呼出信号を検出することに併せて発信側の通信装置を特定する発信元番号を検出し、この検出した発信元番号を発信元番号記憶部に記憶させる発信元番号記憶手段と、前記発信元番号を検出した場合に、発信側のファクシミリ装置のファクシミリ番号と名称情報とを前記ワンタッチ記憶部に自動的に登録する機能を有していることを示す登録可能信号を発信側の通信装置に発信する登録可能信号発信手段と、発信側の通信装置からの自動的に登録することを要求する登録要求信号と名称情報とを受信する情報受信手段と、前記登録要求信号を受信したことに応じて、前記発信元番号記憶部に記憶した発信元番号と受信した前記名称情報とを画像データの発信時に使用するファクシミリ番号とこのファクシミリ番号によって特定されるファクシミリ装置の名称情報として、前記ワンタッチ記憶部に登録させる制御手段とを設け、前記発信側のファクシミリ装置に自己のファクシミリ装置を特定する名称情報を記憶する名称記憶部と、受信側のファクシミリ装置からの前記登録可能信号を受信する登録可能信号受信手段と、前記登録可能信号を受信した場合に、前記名称記憶部から前記名称情報を読みだし、前記登録要求信号と前記名称情報とを受信側のファクシミリ装置に発信する情報発信手段とを設けたファクシミリシステムとしたものである。
【０００８】
このように構成した請求項１記載の発明は、受信側のファクシミリ装置は、発信側のファクシミリ装置からの画像データの受信に併せて、発信側のファクシミリ装置のファクシミリ番号と名称情報とを、画像データの発信時に使用するファクシミリ番号とこのファクシミリ番号によって特定されるファクシミリ装置の名称情報として自動的にワンタッチ記憶部に登録することができることから、ワンタッチ記憶部へのファクシミリ番号および名称情報の登録をする作業の負担を軽減することができるという作用を有するものである。
【０００９】
また請求項２記載の発明は、画像データを回線を介して受信側のファクシミリ装置に発信する手段と、発信側のファクシミリ装置から前記回線を介して画像データを受信し、この受信した画像データを印字出力する手段とを有するファクシミリ装置において、画像データの発信時に使用するファクシミリ番号とこのファクシミリ番号によって特定されるファクシミリ装置の名称情報とを登録するワンタッチ記憶部と、このワンタッチ記憶部に登録されたファクシミリ番号と名称情報とを読みだす指示をするための操作キーと、回線からの呼出信号を検出することに併せて発信側の通信装置を特定する発信元番号を検出し、この検出した発信元番号を発信元番号記憶部に記憶させる発信元番号記憶手段と、前記発信元番号を検出した場合に、発信側のファクシミリ装置のファクシミリ番号と名称情報とを前記ワンタッチ記憶部に自動的に登録する機能を有していることを示す登録可能信号を発信側の通信装置に発信する登録可能信号発信手段と、発信側の通信装置からの自動的に登録することを要求する登録要求信号と名称情報とを受信する情報受信手段と、前記登録要求信号を受信したことに応じて、前記発信元番号記憶部に記憶した発信元番号と受信した前記名称情報とを画像データの発信時に使用するファクシミリ番号とこのファクシミリ番号によって特定されるファクシミリ装置の名称情報として、前記ワンタッチ記憶部に登録させる制御手段とを備えたファクシミリ装置としたものである。
【００１０】
このように構成した請求項２記載の発明は、発信側のファクシミリ装置のファクシミリ番号と名称情報とをワンタッチ記憶部に自動的に登録することを要求する要求信号と名称情報とを発信側のファクシミリ装置から受信すると、発信元番号を画像データの発信時に使用するファクシミリ番号として、また受信した名称情報をファクシミリ番号によって特定されるファクシミリ装置の名称情報としてワンタッチ記憶部に登録させることができることから、発信側のファクシミリ装置の要求に応じて自動的にワンタッチ記憶部の登録処理を実行できるという作用を有するものである。
【００１１】
また請求項３記載の発明は、画像データを回線を介して受信側のファクシミリ装置に発信する手段と、発信側のファクシミリ装置から前記回線を介して画像データを受信し、この受信した画像データを印字出力する手段とを有するファクシミリ装置において、自己のファクシミリ装置を特定する名称情報を記憶する名称記憶部と、画像データの発信に際し発信側のファクシミリ装置のファクシミリ番号と名称情報とを受信側のファクシミリ装置のワンタッチ記憶部に自動的に登録することが可能であることを示す登録可能信号を受信側のファクシミリ装置から受信する登録可能信号受信手段と、前記登録可能信号を受信した場合に、前記名称記憶部から前記名称情報を読みだし、自動的に登録することを要求する登録要求信号と前記名称情報とを受信側のファクシミリ装置に発信する情報発信手段とを備えたファクシミリ装置としたものである。
【００１２】
このように構成した請求項３記載の発明は、発信側のファクシミリ装置のファクシミリ番号と名称情報とを受信側のファクシミリ装置のワンタッチ記憶部に自動的に登録する機能を有していることを示す登録可能信号を受信側のファクシミリ装置から受信した場合に、受信側のファクシミリ装置に登録要求信号および自己のファクシミリ装置の名称情報を発信することができることから、自己のファクシミリ装置のファクシミリ番号および名称情報を受信側のファクシミリ装置に自動的に登録させることができるという作用を有するものである。
【００１３】
また請求項４記載の発明は、請求項１または請求項２記載の発明において、受信側のファクシミリ装置またはファクシミリ装置はワンタッチ記憶部に空きがあるか否かをチェックする空き識別手段を有し、空きがあると判断したときのみ前記登録可能信号を発信するようにしたファクシミリシステムまたはファクシミリ装置としたものである。
【００１４】
このように構成した請求項４記載の発明は、請求項１または請求項２記載の発明の作用に加えてワンタッチ記憶部に空きがあるときのみ登録可能信号を発信側のファクシミリ装置に発信するようにしているので、無駄な登録可能信号の発信を防止できるという作用を有するものである。
【００１５】
また請求項５記載の発明は、請求項１または請求項２記載の発明において、受信側のファクシミリ装置またはファクシミリ装置は発信側の通信装置がファクシミリ装置であるか否かをチェックする発信側識別手段を有し、発信側の通信装置がファクシミリ装置であるときのみ前記登録可能信号を発信するようにしたファクシミリシステムまたはファクシミリ装置としたものである。
このように構成した請求項５記載の発明は、請求項１または請求項２記載の発明の作用に加えて発信側の装置がファクシミリ装置であるときのみ登録可能信号を発信するようにしているので、例えば発信側の装置が電話機であった場合に、その電話機に登録可能信号を発信するようなことを防止でき、無駄な登録可能信号の発信を防止できるという作用を有するものである。
【００１６】
また請求項６記載の発明は、請求項１または請求項２記載の発明において、受信側のファクシミリ装置またはファクシミリ装置は画像データの受信が正常に終了したか否かを判別する終了判別手段を有し、画像データの受信が正常に終了した場合のみ発信元番号と受信した名称情報とを画像データの発信時に使用するファクシミリ番号とこのファクシミリ番号によって特定されるファクシミリ装置の名称情報として、前記ワンタッチ記憶部に登録させるようにしたファクシミリシステムまたはファクシミリ装置である。
このように構成した請求項６記載の発明は、請求項１または請求項２記載の発明の作用に加えて正常に画像データの受信が行なえたときのみ、ワンタッチ記憶部への登録処理が行われることから、登録されたファクシミリ番号を使用して発信する場合に、回線状態の不備により画像データの発信が行なえないような状態が発生することを抑えることができるという作用を有するものである。
【００１７】
また請求項７記載の発明は、請求項１または請求項３記載の発明において、発信側のファクシミリ装置またはファクシミリ装置は名称情報を国際電気通信連合の電気通信標準化部門でのＴシリーズ勧告で規定されたファクシミリ伝送制御信号のうちのＴＳＩ信号に含める手段を有し、ＴＳＩ信号を用いて名称情報を受信側のファクシミリ装置に発信するファクシミリシステムまたはファクシミリ装置としたものである。
このように構成した請求項６記載の発明は、請求項１または請求項３記載の発明の作用に加えて国際電気通信連合の電気通信標準化部門でのＴシリーズ勧告で規定されたファクシミリ伝送制御信号のＴＳＩ信号を用いて名称情報をファクシミリ装置に発信するようにできることから、特別な信号を用いることなく名称情報を発信することができ、一般的なファクシミリ装置間で、名称情報の発信が可能となるという作用を有するものである。
【００１８】
【発明の実施の形態】
以下、本発明の実施の形態を図面を参照して説明する。
図１は、本実施の形態にかかるファクシミリシステムを模式的に表わしたブロック図である。
【００１９】
各種通信装置が接続可能な回線である回線網１には発信側のファクシミリ装置に相当する複数の第１ファクシミリ装置２（ａ）、２（ｂ）、受信側のファクシミリ装置に相当する複数の第２ファクシミリ装置３（ａ）、３（ｂ）をはじめとして電話機（図示せず）などの各種通信端末が接続されている。そしてそれぞれの通信端末は回線網１を介して相互にデータの送受信が可能となっている。また回線網１は発信元番号を発信可能な交換機（図示せず）を有しており、その結果、各種通信端末は、呼出信号とともに発信元番号を受信することができるものである。
なお、第１ファクシミリ装置２（ａ）、２（ｂ）は名称情報を発信する機能は有するものの、名称情報をワンタッチ記憶部に自動的に登録する機能は有していないものとする。また、第２ファクシミリ装置３（ａ）、３（ｂ）は名称情報をワンタッチ記憶部に自動的登録する機能は有するものの、名称情報を発信する機能は有していないものとする。詳細説明は後述する。
【００２０】
図２は第１ファクシミリ装置２（ａ）（第１ファクシミリ装置２（ｂ）は同一構成であることから第１ファクシミリ装置２（ａ）のみを説明する）の構成を示すブロック図である。第１ファクシミリ装置２（ａ）は第１ファクシミリ装置２（ａ）全体を制御するＣＰＵ４を有している。そしてそのＣＰＵ４はアドレスバスやデータバスなどからなるバスライン５を介して、第１ファクシミリ装置２（ａ）の動作プラグラムを格納したＲＯＭ６、画像データや制御データなどの各種データを格納するためのＲＡＭ７、原稿の画像を読取るためのスキャナー８、回線網１を介して受信した画像データを印刷するためのプリンタ９、発信元番号を表示したりするための表示部１０、受信側のファクシミリ装置のファクシミリ番号を入力するため等に使用されるテンキー（図示せず）や発信開始指示の入力をするためのスタートキー（図示せず）などの各種キーを備えた操作部１１、ファクシミリ送受信を実行するためのモデム１２、回線網１からの信号の受信および回線網１への信号の発信を制御する回線制御部１３等が接続されている。
【００２１】
図３は第２ファクシミリ装置３（ａ）（第２ファクシミリ装置３（ｂ）は同位置構成であることから第２ファクシミリ装置３（ａ）のみを説明する）の構成を示すブロック図である。第２ファクシミリ装置３（ａ）は第２ファクシミリ装置３（ａ）全体を制御するＣＰＵ１４を有している。そしてそのＣＰＵ１２はアドレスバスやデータバスなどからなるバスライン１５を介して、第２ファクシミリ装置３（ａ）の動作プラグラムを格納したＲＯＭ１６、画像データや制御データなどの各種データを格納するためのＲＡＭ１７、原稿の画像を読取るためのスキャナー１８、回線網１を介して受信した画像データを印刷するためのプリンタ１９、発信元番号を表示したりするための表示部２０、受信側のファクシミリ装置のファクシミリ番号を入力するためなどに使用されるテンキー（図示せず）や発信開始指示の入力をするためのスタートキー（図示せず）などの各種キーを備えた操作部２１、通話をするための内蔵電話機２２、ファクシミリ送受信を実行するためのモデム２３、回線網１からの信号の受信および回線網１への信号の発信を制御する回線制御部２４等が接続されている。
【００２２】
第２ファクシミリ装置３（ａ）の操作部２１は、画像データの発信に際し、一度の操作で受信側のファクシミリ番号を入力するためのワンタッチボタン２５を有しており、このワンタッチボタン２５は複数の操作キー２５（ａ）で構成されている。
回線制御部２４は回線からの呼出信号を検出する機能とともに、発信元番号を検出する機能を有している。
【００２３】
図４は図２に示した第１ファクシミリ装置２（ａ）のＲＡＭ７のメモリ構成図である。ＲＡＭ７はスキャナ８で読取った画像データを保存するメモリ（図示せず）や画像データの送受信の履歴を記憶する履歴メモリ（図示せず）等の他に、自己の第１ファクシミリ装置２（ａ）の名称情報をＡＳＣＩＩコードで記憶する名称記憶部としての名称情報記憶部２６や操作部１１のテンキーによって入力された受信側のファクシミリ番号を記憶する発信番号記憶部２７等を有している。
【００２４】
図５は図３に示した第２ファクシミリ装置３（ａ）のＲＡＭ１７のメモリ構成図である。ＲＡＭ１７は画像データを保存するメモリ（図示せず）や画像データの送受信の履歴を記憶する履歴メモリ（図示せず）等の他に、回線制御部２４で検出した発信元番号を記憶する発信元番号記憶部２８、ワンタッチボタン２５の操作キー２５（ａ）のそれぞれに対応して、画像データの発信時に使用するファクシミリ番号と、このファクシミリ番号によって特定されるファクシミリ装置の名称情報とが登録されたワンタッチ記憶部２９等を有している。
ワンタッチ記憶部２９は、それぞれの操作キー２５（ａ）を識別するための番号情報が記憶された番号エリア２９（ａ）、画像データの発信時に使用するファクシミリ番号が登録されるファクシミリ番号エリア２９（ｂ）、このファクシミリ番号エリア２９（ｂ）に登録されたファクシミリ番号によって特定されるファクシミリ装置の名称情報が登録される名称エリア２９（ｃ）とから構成されている。ワンタッチ記憶部２９に登録されたファクシミリ番号や名称情報は、操作キー２５（ａ）の操作に応じて読み出されるものである。
【００２５】
図６は、国際電気通信連合の電気通信標準化部門でのＴシリーズ勧告で規定されたファクシミリ伝送制御手順の一例を示した図である。なお、この図は本発明に関連する部分のみを抜粋し、その他の部分は省略している。また自動発信、自動受信を実行する場合を例にしたものである。
【００２６】
発信側のファクシミリ装置が受信側のファクシミリ装置のファクシミリ番号を回線に発信することにより、受信側のファクシミリ装置は回線から呼出信号および発信元番号を受信することになるので、これを検出し、回線を接続する（図中▲１▼）。発信側のファクシミリ装置は、ファクシミリ番号の発信に続いて、発呼端末識別信号であるＣＮＧ（Calling tone）信号を発信していることから、受信側のファクシミリ装置は回線を接続したのち、ＣＮＧ信号を検出することができる。ＣＮＧ信号の検出にともない受信側のファクシミリ装置は、非標準機能信号であるＮＳＦ（Non-standard Facilities）信号、被呼端末識別信号であるＣＳＩ（Called Subscriber Identification）信号、デジタル識別信号であるＤＩＳ（Digital Identification Signal）信号を発信する（図中▲２▼）。発信側のファクシミリ装置はＮＳＦ信号、ＣＳＩ信号、ＤＩＳ信号を受信すると、その信号の内容をチェックし、応答として非標準機能設定信号であるＮＳＳ（Non-Standard facilities Set-up）信号、発信端末識別信号であるＴＳＩ（Transmitting Subscriber Identification）信号、デジタル命令信号であるＤＣＳ（Digital Command Signal）信号を発信する。（図中▲３▼）。この信号を受信した受信側のファクシミリ装置はこの信号の内容に基づいて対応する動作を実行することになる（図中▲４▼）。以後、その他の信号の送受信を実行したのち発信側のファクシミリ装置は画像データを発信し、受信側のファクシミリ装置は画像データを受信する。
本実施の形態では、上述したファクシミリ伝送制御手順にしたがって、名称情報を発信側のファクシミリ装置つまり第１ファクシミリ装置２（ａ）、２（ｂ）から受信側のファクシミリ装置つまり第２ファクシミリ装置３（ａ）、３（ｂ）に発信し、受信側のファクシミリ装置のワンタッチ記憶部に登録するようにしている。
【００２７】
図７、図８は本実施の形態にかかるファクシミリシステムにおける第１ファクシミリ装置２（ａ）、２（ｂ）つまり発信側のファクシミリ装置および第２ファクシミリ装置３（ａ）、３（ｂ）つまり受信側のファクシミリ装置の処理を示したフローチャートである。なお、ワンタッチ記憶部２９に自動的に名称情報を登録する際には、ＮＳＦ信号、ＮＳＳ信号およびＴＳＩ信号を利用するものとする。すなわち、ワンタッチ記憶部２９にファクシミリ番号と名称情報とを登録することができる受信側の第２ファクシミリ装置３（ａ）は、ＮＳＦ信号を構成する情報エリアの所定のビットに発信側のファクシミリ装置のファクシミリ番号と名称情報とをワンタッチ記憶部２９に自動的に登録する機能を有していることを示すフラグ（以下、登録可能フラグ）をセットして、発信側のファクシミリ装置に発信するようになっている。
第１ファクシミリ装置２（ａ）は、受信したＮＳＦ信号をチェックし、登録可能フラグがセットされていることを検出した場合は、ＮＳＳ信号を構成する情報エリアの所定のビットにファクシミリ番号と名称情報とをワンタッチ記憶部２９に自動的に登録することを要求することを示すフラグ（以下、登録要求フラグ）をセットし、ＴＳＩ信号に、ＡＳＣＩＩコードで表現した名称情報を含めて、受信側の第２ファクシミリ装置３（ａ）に発信するようになっている。ＮＳＦ信号、ＮＳＳ信号の情報エリアの内、どのビットを登録可能フラグや登録要求フラグとして利用するかは予め決めておくものとする。なお、登録可能フラグがセットされたＮＳＦ信号は登録可能信号であり、登録要求フラグがセットされたＮＳＳ信号は登録要求信号である。
【００２８】
図７は発信側のファクシミリ装置である第１ファクシミリ装置２（ａ）の発信時の処理を示すフローチャートである。このフローチャートは第１ファクシミリ装置２（ａ）のオペレータが受信側のファクシミリ装置のファクシミリ番号を入力し、スタートキーを操作したことに応じて動作するものである。
【００２９】
ステップ１０１で前記ファクシミリ番号を示す信号を回線網１に発信し、ステップ１０２でＣＮＧ信号を発信する。ステップ１０３で受信側のファクシミリ装置からの応答信号を待つ。所定時間待っても、受信側のファクシミリ装置から、なんの応答もない場合、もしくは話中であった場合は、ファクシミリ発信ができないものとして、処理を終了する。この場合は、所定の時間をおいて再度、受信側のファクシミリ装置のファクシミリ番号を発信するリダイヤル処理をすることとなる。
【００３０】
ステップ１０３で、受信側のファクシミリ装置からの応答信号を検出した場合は、ステップ１０４で、受信したＮＳＦ信号をチェックし、受信側のファクシミリ装置に自己のファクシミリ番号と名称情報とを自動的に登録することが可能か否かを登録可能フラグがセットされているか否かによって判断する。ＮＳＦ信号に登録可能フラグがセットされていない場合は、受信側のファクシミリ装置は、発信側のファクシミリ装置のファクシミリ番号と名称情報とをワンタッチ記憶部に自動的に登録する機能を有していないファクシミリ装置であるので、ステップ１０５で通常のファクシミリ発信処理を実行する。この通常のファクシミリ発信処理では、ＴＳＩ信号には、発信側の第１ファクシミリ装置２（ａ）のファクシミリ番号が含まれて受信側のファクシミリ装置に発信されることになる。
【００３１】
一方、ステップ１０４でＮＳＦ信号に登録可能フラグがセットされていると判断した場合は、ステップ１０６で、名称情報記憶部２６から名称情報を読み出し、ステップ１０７で受信側のファクシミリ装置のワンタッチ記憶部に自動的に登録登することを要求する登録要求フラグをＮＳＳ信号にセットして発信し、ステップ１０８で、読み出した名称情報をＴＳＩ信号に含めて発信する。その後、所定の信号のやり取りを実行した後ステップ１０９で画像データを発信して処理を終了する。ステップ１０４は登録可能信号受信手段であり、ステップ１０７、１０８は情報発信手段である。
なお、第１ファクシミリ装置２（ａ）が画像データを受信する場合の処理は、従来と同様である。
【００３２】
図８は第２ファクシミリ装置３（ａ）の受信時の処理を示したフローチャートである。このフローチャートは第２ファクシミリ装置３（ａ）が回線網１からの呼出信号を検出したことによって動作するものである。
【００３３】
ステップ１１０で呼出信号の検出とともに、発信元番号の検出ができたか判断する。発信元番号の検出ができなかった場合は、ワンタッチ記憶部２９に画像データの発信時に使用するファクシミリ番号および、このファクシミリ番号によって特定されるファクシミリ装置の名称情報を自動的に登録することができないことから、ステップ１１１で通常のファクシミリ受信処理を実行して、ステップ１２５で各種データをクリアして処理を終了する。
【００３４】
ステップ１１０で発信元番号の検出ができたと判断した場合はステップ１１２で、検出した発信元番号を発信元番号記憶部２８に一次的に記憶する。ステップ１１３で回線を接続しステップ１１４で発信側の通信装置がファクシミリ装置か否かを判断する。これはＣＮＧ信号が検出できたか否かによって行われる。ＣＮＧ信号が検出できない場合は、発信側の通信装置がファクシミリ装置以外の通信装置（例えば電話機）であると判断し、ステップ１１５で内蔵電話機２０と回線網１とを接続するなどの、その他の処理を行なったのちステップ１２５で発信元番号記憶部２８の内容をクリアするなどの各種データをクリアして処理を終了する。ステップ１１２は発信元番号記憶手段であり、ステップ１１４は発信元識別手段である。
【００３５】
ステップ１１４で、発信側の通信装置がファクシミリ装置であると判断した場合は、ステップ１１６でワンタッチ記憶部２９にファクシミリ番号を追加して登録することが可能か否か、つまり空き容量があるか否かを判断する。ワンタッチ記憶部２９がすでに一杯である場合は、ファクシミリ番号を追加して登録することができないので、ステップ１１１で通常のファクシミリ受信処理を実行して、ステップ１２５で発信元番号記憶部２８の内容をクリアするなど、各種データをクリアして処理を終了する。
【００３６】
ステップ１１６でまだ追加して登録することが可能であると判断した場合は、ステップ１１７でＮＳＦ信号を構成する情報エリアの所定のビットに、発信側のファクシミリ装置のファクシミリ番号と名称情報とをワンタッチ記憶部２９に自動的に登録する機能を有していることを示す登録可能フラグをセットして、発信側のファクシミリ装置に発信する。あわせて、ＣＳＩ信号、ＤＩＳ信号も発信する。ステップ１１８で発信側のファクシミリ装置からの応答を待ち、応答を受信したら、ＮＳＳ信号をチェックして、ファクシミリ番号と名称情報とをワンタッチ記憶部２９に自動的に登録することを要求すること示す登録要求フラグがセットされているか否かを判断する。登録要求フラグがセットされていない場合は、発信側のファクシミリ装置は発信側のファクシミリ装置の名称情報を発信する機能を有していないと判断し、名称情報を発信側のファクシミリ装置から受信することができずワンタッチ記憶部２９に自動的に登録することもできないことから、ステップ１１９で画像データの受信を実行し、ステップ１２５で発信元番号記憶部２８の内容をクリアするなど、各種データをクリアして処理を終了する。ステップ１１６は空き識別手段であり、ステップ１１７は登録可能信号発信手段である。
【００３７】
ステップ１１８で登録要求フラグがセットされていると判断した場合は、ステップ１２０でＴＳＩ信号をチェックして、発信側のファクシミリ装置の名称情報を読み出し、ワークエリア（図示せず）に記憶する。ステップ１２１で画像データの受信を実行し、ステップ１２２で画像データの受信が正常に終了したか否かを判断する。これは、画像データの終了を示す所定の信号を検出できたか否かによって判断する。正常終了しなかった場合は、回線の異常なども考えられ、そのような場合は、ワンタッチ記憶部２９に発信側のファクシミリ装置のファクシミリ番号を登録しても、こちらからの画像データの発信も正常に終了しない可能性があることから、ワンタッチ記憶部２９への登録は実行しない。したがってステップ１２５で発信元番号記憶部２８の内容をクリアするなど、各種データをクリアして処理を終了する。正常終了した場合は、ステップ１２３で発信元番号記憶部２８に記憶されている発信側のファクシミリ装置のファクシミリ番号が、ワンタッチ記憶部２９に登録されているかチェックする。すでにワンタッチ記憶部２９に登録されている場合は、改めて登録する必要はないのでステップ１２５で発信元番号記憶部２８の内容をクリアするなど、各種データをクリアして処理を終了する。ステップ１１８は情報受信手段である。ステップ１２２は終了判別手段である。
【００３８】
同じファクシミリ番号が登録されていない場合は、ステップ１２４で、発信元番号記憶部２８に記憶されているファクシミリ番号と、ワークエリアに記憶されている名称情報とをワンタッチ記憶部２９の空いている領域のファクシミリ番号エリア２９（ｂ）と名称エリア２９（ｃ）とにそれぞれ登録し、ステップ１２５で発信元番号記憶部２８の内容をクリアするなど、各種データをクリアして処理を終了する。ステップ１２４は制御手段である。
なお、第２ファクシミリ装置３（ａ）が画像データを発信する場合の処理は、従来と同様である。
【００３９】
次に、この実施の形態の作用を説明する。今、例えば図４に示すような情報を有する第１ファクシミリ装置２（ａ）から図５に示すような情報を有する第２ファクシミリ装置３（ａ）に画像データの発信をする場合を例に説明する。つまり、発信側のファクシミリ装置となる第１ファクシミリ装置２（ａ）のファクシミリ番号は「３３３−３３３３」であり、「カイハツ１」という名称情報を有しており、受信側のファクシミリ装置となる第２ファクシミリ装置３（ａ）のファクシミリ番号は「１１１−２２２２」であり、該ファクシミリ装置のワンタッチ記憶部２９の０３のエリアまで、画像データの発信時に使用するファクシミリ番号とこのファクシミリ番号によって特定されるファクシミリ装置の名称情報とが登録されているものである。
【００４０】
発信側のファクシミリ装置である第１ファクシミリ装置２（ａ）のオペレータが、テンキーを操作して受信側のファクシミリ装置である第２ファクシミリ装置３（ａ）のファクシミリ番号「１１１−２２２２」を置数したのちスタートキーを操作することで発信処理が開始される。第２ファクシミリ装置３（ａ）は図６の▲１▼のタイミングで、呼出信号を検出し、それとともに発信側の第１ファクシミリ装置２（ａ）のファクシミリ番号「３３３−３３３３」を検出し、発信元番号記憶部２８に記憶する。受信側の第２ファクシミリ装置３（ａ）は図６の▲２▼のタイミングでＣＮＧ信号を検出するので、発信側の通信装置、つまり第１ファクシミリ装置２（ａ）がファクシミリ装置であると判断し、ワンタッチ記憶部２９にまだ空きがあるので、登録可能フラグをＮＳＦ信号にセットし、ＮＳＦ信号、ＣＳＩ信号、ＤＩＳ信号を発信する。
【００４１】
これらの信号を受信した第１ファクシミリ装置２（ａ）は図６の▲３▼のタイミングで、ＮＳＦ信号の内容をチェックし、登録可能フラグがセットされていることを検出すると、受信側のファクシミリ装置、つまり第２ファクシミリ装置３（ａ）が、発信側のファクシミリ装置のファクシミリ番号と名称情報とをワンタッチ記憶部に自動的に登録する機能を有しているファクシミリ装置であると判断する。そして、登録要求フラグをＮＳＳ信号にセットし、自己の名称情報である「カイハツ１」をＴＳＩ信号に含めて、ＮＳＳ信号、ＴＳＩ信号、ＤＣＳ信号を発信する。
【００４２】
ＮＳＳ信号、ＴＳＩ信号、ＤＣＳ信号を受信した第２ファクシミリ装置３（ａ）は、ＮＳＳ信号をチェックし、登録要求フラグがセットされていることから、ＴＳＩ信号に含まれている名称情報である「カイハツ１」をワークエリアに記憶する。そして画像データの受信を実行した後、ワンタッチ記憶部２９をチェックし、発信元番号記憶部２８に記憶しているファクシミリ番号「３３３−３３３３」が登録されているか判断する。この番号と同じ番号が見つからないことから。空いている操作キー「０４」に相当するファクシミリ番号エリア２７（ｂ）に「３３３−３３３３」を登録し、名称エリア２７（ｃ）に「カイハツ１」を登録する。これによりワンタッチ記憶部２９へのファクシミリ番号の登録と名称情報の登録とが完了する。
ワンタッチ記憶部２９の「０４」のエリアに登録がおこなわれたことから、以後、第２ファクシミリ装置３（ａ）のワンタッチ記憶部２９の「０４」に相当する操作キーが操作された場合は、受信側のファクシミリ装置のファクシミリ番号として、第１ファクシミリ装置２（ａ）のファクシミリ番号である「３３３−３３３３」が入力される。
【００４３】
一方、仮に第２ファクシミリ装置３（ｂ）から第２ファクシミリ装置３（ａ）に画像データの発信をする場合は、受信側のファクシミリ装置である第２ファクシミリ装置３（ａ）が登録可能フラグをＮＳＦ信号にセットし、発信側のファクシミリ装置である第２ファクシミリ装置３（ｂ）に発信したとしても、第２ファクシミリ装置３（ｂ）は名称情報を発信する機能を有していないことから、第２ファクシミリ装置３（ｂ）は登録要求フラグをＮＳＳ信号にセットすることはない。この結果、第２ファクシミリ装置３（ｂ）と第２ファクシミリ装置３（ａ）との間で、名称情報の送受信は行われず、通常のファクシミリ送受信が行われることとなる。
【００４４】
なお、本発明は上記実施の形態に限定されるものではない。例えば、上記の実施の形態では、第１ファクシミリ装置２は名称情報を発信する機能は有するものの、名称情報をワンタッチ記憶部に自動的に登録する機能は有していないものとし、また、第２ファクシミリ装置３は名称情報をワンタッチ記憶部に自動的登録する機能は有するものの、名称情報を発信する機能は有していないものとして説明したが、それらのファクシミリ装置は両方の機能をあわせもつファクシミリ装置であっても構わない。また、図８のステップ１１４のファクシミリ発信をする装置かどうかの判断をＣＮＧ信号のみによって行っているが、手動発信の場合も考慮して判断する手段をさらに加えることも周知技術により可能である。さらに、ワンタッチ記憶部２９に新規に登録がなされた場合にその旨を通知するようにすることも容易になされるものである。さらに、ワンタッチ記憶部２９はファクシミリ番号と名称情報とが登録される記憶部として説明したが、その他の情報をマニュアル操作などで追加的に登録できる記憶部であってもよい。さらに、スキャナ８、１８を有するファクシミリ装置について説明したが、ファクシミリ送信、受信を実行する機能を有する装置であれば、スキャナを有しないパソコンなどその他の通信装置であってもよい。
その他、本発明の要旨を逸脱しない範囲で種々変形実施可能である。
【００４５】
【発明の効果】
請求項１記載の発明は、受信側のファクシミリ装置は、発信側のファクシミリ装置からの画像データの受信に併せて、発信側のファクシミリ装置のファクシミリ番号と名称情報とを、画像データの発信時に使用するファクシミリ番号とこのファクシミリ番号によって特定されるファクシミリ装置の名称情報として自動的にワンタッチ記憶部に登録することができることから、ワンタッチ記憶部へのファクシミリ番号および名称情報の登録をする作業の負担を軽減することができるという効果を奏するものである。
また請求項２記載の発明は、発信側のファクシミリ装置のファクシミリ番号と名称情報とをワンタッチ記憶部に自動的に登録することを要求する要求信号と名称情報とを発信側のファクシミリ装置から受信すると、発信元番号を画像データの発信時に使用するファクシミリ番号として、また受信した名称情報をファクシミリ番号によって特定されるファクシミリ装置の名称情報としてワンタッチ記憶部に登録させることができることから、発信側のファクシミリ装置の要求に応じて自動的にワンタッチ記憶部の登録処理を実行できるという効果を奏するものである。
【００４６】
また請求項３記載の発明は、発信側のファクシミリ装置のファクシミリ番号と名称情報とを受信側のファクシミリ装置のワンタッチ記憶部に自動的に登録する機能を有していることを示す登録可能信号を受信側のファクシミリ装置から受信した場合に、受信側のファクシミリ装置に登録要求信号および自己のファクシミリ装置の名称情報を発信することができることから、自己のファクシミリ装置のファクシミリ番号および名称情報を受信側のファクシミリ装置に自動的に登録させることができるという効果を奏するものである。
また請求項４記載の発明は、請求項１または請求項２記載の発明の効果に加えてワンタッチ記憶部に空きがあるときのみ登録可能信号を発信側のファクシミリ装置に発信するようにしているので、無駄な登録可能信号の発信を防止できるという効果を奏するものである。
【００４７】
また請求項５記載の発明は、請求項１または請求項２記載の発明の効果に加えて発信側の装置がファクシミリ装置であるときのみ登録可能信号を発信するようにしているので、例えば発信側の装置が電話機であった場合に、その電話機に登録可能信号を発信するようなことを防止でき、無駄な登録可能信号の発信を防止できるという効果を奏するものである。
また請求項６記載の発明は、請求項１または請求項２記載の発明の効果に加えて正常に画像データの受信が行なえたときのみ、ワンタッチ記憶部への登録処理が行われることから、登録されたファクシミリ番号を使用して発信する場合に、回線状態の不備により画像データの発信が行なえないような状態が発生することを抑えることができるという効果を奏するものである。
【００４８】
また請求項７記載の発明は、請求項１または請求項３記載の発明の効果に加えて国際電気通信連合の電気通信標準化部門でのＴシリーズ勧告で規定されたファクシミリ伝送制御信号のＴＳＩ信号を用いて名称情報をファクシミリ装置に発信するようにできることから、特別な信号を用いることなく名称情報を発信することができ、一般的なファクシミリ装置間で、名称情報の発信が可能となるという効果を奏するものである。
【図面の簡単な説明】
【図１】本実施の形態に係るファクシミリシステムを模式的に表わしたブロック図である。
【図２】同実施の形態における第１ファクシミリ装置の構成を示すブロック図である。
【図３】同実施の形態における第２ファクシミリ装置の構成を示すブロック図である。
【図４】同実施の形態における第１ファクシミリ装置のＲＡＭ６のメモリ構成図である。
【図５】同実施の形態における第２ファクシミリ装置のＲＡＭ１５のメモリ構成図である。
【図６】同実施の形態におけるファクシミリ伝送制御手順の一例を示す図である。
【図７】同実施の形態における第１ファクシミリ装置の発信処理を示すフローチャートである。
【図８】同実施の形態における第２ファクシミリ装置の受信処理を示すフローチャートである。
【符号の説明】
１                  回線網（回線）
２                  第１ファクシミリ装置（発信側のファクシミリ装置）
３                  第２ファクシミリ装置（受信側のファクシミリ装置）
２５                ワンタッチボタン
２５（ａ）          操作キー
２４                名称情報記憶部（名称記憶部）
２６                発信元番号記憶部
２７                ワンタッチ記憶部
ステップ１０４    （登録可能信号受信手段）
ステップ１０７、１０８    （情報発信手段）
ステップ１１２    （発信元番号記憶手段）
ステップ１１４    （発信元識別手段）
ステップ１１６    （空き識別手段）
ステップ１１７    （登録可能信号発信手段）
ステップ１１８    （情報受信手段）
ステップ１２２    （終了判別手段）
ステップ１２４    （制御手段）
【図１】
0003886655.tif 000002
【図２】
0003886655.tif 000003
【図３】
0003886655.tif 000004
【図４】
0003886655.tif 000005
【図５】
0003886655.tif 000006
【図６】
0003886655.tif 000007
【図７】
0003886655.tif 000008
【図８】
0003886655.tif 000009